(57)【要約】ＨＴＭＬ形式のプレイリストファイルを解釈できないＣＤプレイヤなどのデータ処理レベルにおいては、プレイリスト再生を行うことができないという課題があった。  所定のデータを格納する複数個のデータファイルを保持するＣＤ−ＲＷメディア１５と、複数個のデータファイルの内の全部または一部のデータファイルがそれぞれ格納する所定のデータを再生する再生順序をデータファイルごとにそれぞれ与えられる固有のコンテンツＩＤを利用して記述するプレイリストを、ＣＤ−ＲＷメディア１５に保持されるプレイリストファイル１７に記録するファイル記録手段１４と、複数個のデータファイルの内の全部または一部のデータファイルがそれぞれ格納する所定のデータを、記録されたプレイリストに基づき再生するファイル再生手段２３とを備えた記録再生システムである。
2006510162.tif 000002
【特許請求の範囲】
【請求項１】
所定のデータを格納する複数個のデータファイルを保持する記録媒体と、
前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを、前記プレイリストを格納するための、前記記録媒体に保持されるプレイリストファイルに記録するプレイリスト記録手段と、
前記複数個のデータファイルの内の全部または一部のデータファイルがそれぞれ格納する所定のデータを、前記記録されたプレイリストに基づき前記再生順序を利用して再生するデータ再生手段とを備えた記録再生システム。
【請求項２】
前記複数個のデータファイルは、それぞれ前記所定のデータの再生を行うために利用されるパラメータ情報をさらに格納し、
前記複数個のデータファイルがそれぞれ格納するパラメータ情報を、前記パラメータ情報を格納するための、前記記録媒体に保持されるパラメータ情報ファイルにすべて記録するパラメータ情報記録手段をさらに備え、
前記複数個のデータファイルには、前記パラメータ情報ファイルが前記パラメータ情報を格納する順番を利用して、前記固有のデータファイルＩＤがそれぞれ与えられる請求項１記載の記録再生システム。
【請求項３】
前記データファイルは、前記与えられる固有のデータファイルＩＤを利用して管理される請求項２記載の記録再生システム。
【請求項４】
前記記録媒体は、複数個の前記プレイリストファイルを保持し、
前記複数個の前記プレイリストファイルは、それぞれプレイリストファイル属性を有し、
前記パラメータ情報ファイルは、前記複数個の前記プレイリストファイルがそれぞれ有するプレイリストファイル属性に関するプレイリストファイル属性情報をさらに格納する請求項２記載の記録再生システム。
【請求項５】
前記複数個の前記プレイリストファイルには、前記パラメータ情報ファイルが前記プレイリストファイル属性情報を格納する順番を利用して、固有のプレイリストファイルＩＤが与えられ、
前記プレイリストファイルは、前記与えられる固有のプレイリストファイルＩＤを利用して管理される請求項４記載の記録再生システム。
【請求項６】
前記プレイリストは、前記再生順序を、グループ化を利用して記述する請求項１記載の記録再生システム。
【請求項７】
前記プレイリストは、前記再生順序を、書き換え可能に記述する請求項１記載の記録再生システム。
【請求項８】
所定のデータを格納する複数個のデータファイルを保持する記録媒体に保持される、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルに、前記プレイリストを記録するプレイリスト記録手段を備え、
前記複数個のデータファイルの内の全部または一部のデータファイルがそれぞれ格納する所定のデータは、前記記録されたプレイリストに基づき前記再生順序を利用して再生される記録装置。
【請求項９】
所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに記録されたプレイリストに基づき、前記複数個のデータファイルの内の全部または一部のデータファイルがそれぞれ格納する所定のデータを、前記再生順序を利用して再生するデータ再生手段を備えた再生装置。
【請求項１０】
所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体であって、
前記プレイリストは、前記プレイリストファイルに記録され、
前記複数個のデータファイルの内の全部または一部のデータファイルがそれぞれ格納する所定のデータは、前記記録されたプレイリストに基づき前記再生順序を利用して再生される記録媒体。
【請求項１１】
所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに、前記プレイリストを記録するプレイリスト記録ステップと、
前記複数個のデータファイルの内の全部または一部のデータファイルがそれぞれ格納する所定のデータを、前記記録されたプレイリストに基づき前記再生順序を利用して再生するデータ再生ステップとを備えた記録再生方法。
【請求項１２】
所定のデータを格納する複数個のデータファイルを保持する記録媒体に保持される、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルに、前記プレイリストを記録するプレイリスト記録ステップを備え、
前記複数個のデータファイルの内の全部または一部のデータファイルがそれぞれ格納する所定のデータは、前記記録されたプレイリストに基づき前記再生順序を利用して再生される記録方法。
【請求項１３】
所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに記録されたプレイリストに基づき、前記複数個のデータファイルの内の全部または一部のデータファイルがそれぞれ格納する所定のデータを、前記再生順序を利用して再生するデータ再生ステップを備えた再生方法。
【請求項１４】
請求項１１記載の記録再生方法の、所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに、前記プレイリストを記録するプレイリスト記録ステップと、前記複数個のデータファイルの内の全部または一部のデータファイルがそれぞれ格納する所定のデータを、前記記録されたプレイリストに基づき前記再生順序を利用して再生するデータ再生ステップとをコンピュータに実行させるためのプログラム。
【請求項１５】
請求項１２記載の記録方法の、所定のデータを格納する複数個のデータファイルを保持する記録媒体に保持される、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルに、前記プレイリストを記録するプレイリスト記録ステップをコンピュータに実行させるためのプログラム。
【請求項１６】
請求項１３記載の再生方法の、所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに記録されたプレイリストに基づき、前記複数個のデータファイルの内の全部または一部のデータファイルがそれぞれ格納する所定のデータを、前記再生順序を利用して再生するデータ再生ステップをコンピュータに実行させるためのプログラム。
【請求項１７】
請求項１４記載のプログラムを担持した記録媒体であって、コンピュータにより処理可能な記録媒体。
【請求項１８】
請求項１５記載のプログラムを担持した記録媒体であって、コンピュータにより処理可能な記録媒体。
【請求項１９】
請求項１６記載のプログラムを担持した記録媒体であって、コンピュータにより処理可能な記録媒体。
【発明の詳細な説明】
【技術分野】
【０００１】
本発明は、記録再生システム、記録装置、再生装置、記録媒体、記録再生方法、記録方法、再生方法、プログラム、および記録媒体に関する。
【背景技術】
【０００２】
はじめに、映像データを有する映像ファイルや音声データを有する音声ファイルなどのデータファイルを再生するためのパーソナルコンピュータ（たとえば特開２０００−２３５７８０号公報参照）の構成および動作について説明する。
【０００３】
映像ファイルや音声ファイルなどのデータファイルは、所定のファイルシステムに従ってＣＤ−ＲＯＭ（Ｃｏｍｐａｃｔ  Ｄｉｓｋ−Ｒｅａｄ  Ｏｎｌｙ  Ｍｅｍｏｒｙ）などの記録媒体に記録されている。
【０００４】
パーソナルコンピュータにおいては、データファイルのファイル名を利用してデータファイルの再生順序を記述したＨＴＭＬ（Ｈｙｐｅｒｔｅｘｔ  Ｍａｒｋｕｐ  Ｌａｎｇｕａｇｅ）形式のプレイリストファイルを解釈して、複数のデータファイルを連続的に再生するプレイリスト再生を行っていた。
【発明の開示】
【発明が解決しようとする課題】
【０００５】
しかしながら、パーソナルコンピュータのようにＨＴＭＬ形式のプレイリストファイルを解釈できないＣＤ（Ｃｏｍｐａｃｔ  Ｄｉｓｋ）プレイヤなどのデータ処理レベルにおいては、プレイリストファイルを解釈して複数のデータファイルを連続的に再生するプレイリスト再生を行えないという課題があった。
【課題を解決するための手段】
【０００６】
本発明は、上記従来のこのような課題を考慮し、ＨＴＭＬ形式のプレイリストファイルを解釈できないＣＤプレイヤなどのデータ処理レベルにおいても、プレイリスト再生を行うことができる記録再生システム、記録装置、再生装置、記録媒体、記録再生方法、プログラム、および記録媒体を提供することを目的とするものである。
【０００７】
第１の本発明は、所定のデータを格納する複数個のデータファイルを保持する記録媒体と、
前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを、前記プレイリストを格納するための、前記記録媒体に保持されるプレイリストファイルに記録するプレイリスト記録手段と、
前記複数個のデータファイルの内の全部または一部のデータファイルがそれぞれ格納する所定のデータを、前記記録されたプレイリストに基づき前記再生順序を利用して再生するデータ再生手段とを備えた記録再生システムである。
【０００８】
第２の本発明は、前記複数個のデータファイルは、それぞれ前記所定のデータの再生を行うために利用されるパラメータ情報をさらに格納し、
前記複数個のデータファイルがそれぞれ格納するパラメータ情報を、前記パラメータ情報を格納するための、前記記録媒体に保持されるパラメータ情報ファイルにすべて記録するパラメータ情報記録手段をさらに備え、
前記複数個のデータファイルには、前記パラメータ情報ファイルが前記パラメータ情報を格納する順番を利用して、前記固有のデータファイルＩＤがそれぞれ与えられる第１の本発明の記録再生システムである。
【０００９】
第３の本発明は、前記データファイルは、前記与えられる固有のデータファイルＩＤを利用して管理される第２の本発明の記録再生システムである。
【００１０】
第４の本発明は、前記記録媒体は、複数個の前記プレイリストファイルを保持し、
前記複数個の前記プレイリストファイルは、それぞれプレイリストファイル属性を有し、
前記パラメータ情報ファイルは、前記複数個の前記プレイリストファイルがそれぞれ有するプレイリストファイル属性に関するプレイリストファイル属性情報をさらに格納する第２の本発明の記録再生システムである。
【００１１】
第５の本発明は、前記複数個の前記プレイリストファイルには、前記パラメータ情報ファイルが前記プレイリストファイル属性情報を格納する順番を利用して、固有のプレイリストファイルＩＤが与えられ、
前記プレイリストファイルは、前記与えられる固有のプレイリストファイルＩＤを利用して管理される第４の本発明の記録再生システムである。
【００１２】
第６の本発明は、前記プレイリストは、前記再生順序を、グループ化を利用して記述する第１の本発明の記録再生システムである。
【００１３】
第７の本発明は、前記プレイリストは、前記再生順序を、書き換え可能に記述する第１の本発明の記録再生システムである。
【００１４】
第８の本発明は、所定のデータを格納する複数個のデータファイルを保持する記録媒体に保持される、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルに、前記プレイリストを記録するプレイリスト記録手段を備え、
前記複数個のデータファイルの内の全部または一部のデータファイルがそれぞれ格納する所定のデータは、前記記録されたプレイリストに基づき前記再生順序を利用して再生される記録装置である。
【００１５】
第９の本発明は、所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに記録されたプレイリストに基づき、前記複数個のデータファイルの内の全部または一部のデータファイルがそれぞれ格納する所定のデータを、前記再生順序を利用して再生するデータ再生手段を備えた再生装置である。
【００１６】
第１０の本発明は、所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体であって、
前記プレイリストは、前記プレイリストファイルに記録され、
前記複数個のデータファイルの内の全部または一部のデータファイルがそれぞれ格納する所定のデータは、前記記録されたプレイリストに基づき前記再生順序を利用して再生される記録媒体である。
【００１７】
第１１の本発明は、所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに、前記プレイリストを記録するプレイリスト記録ステップと、
前記複数個のデータファイルの内の全部または一部のデータファイルがそれぞれ格納する所定のデータを、前記記録されたプレイリストに基づき前記再生順序を利用して再生するデータ再生ステップとを備えた記録再生方法である。
【００１８】
第１２の本発明は、所定のデータを格納する複数個のデータファイルを保持する記録媒体に保持される、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルに、前記プレイリストを記録するプレイリスト記録ステップを備え、
前記複数個のデータファイルの内の全部または一部のデータファイルがそれぞれ格納する所定のデータは、前記記録されたプレイリストに基づき前記再生順序を利用して再生される記録方法である。
【００１９】
第１３の本発明は、所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに記録されたプレイリストに基づき、前記複数個のデータファイルの内の全部または一部のデータファイルがそれぞれ格納する所定のデータを、前記再生順序を利用して再生するデータ再生ステップを備えた再生方法である。
【００２０】
第１４の本発明は、第１１の本発明の記録再生方法の、所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに、前記プレイリストを記録するプレイリスト記録ステップと、前記複数個のデータファイルの内の全部または一部のデータファイルがそれぞれ格納する所定のデータを、前記記録されたプレイリストに基づき前記再生順序を利用して再生するデータ再生ステップとをコンピュータに実行させるためのプログラムである。
【００２１】
第１５の本発明は、第１２の本発明の記録方法の、所定のデータを格納する複数個のデータファイルを保持する記録媒体に保持される、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルに、前記プレイリストを記録するプレイリスト記録ステップをコンピュータに実行させるためのプログラムである。
【００２２】
第１６の本発明は、第１３の本発明の再生方法の、所定のデータを格納する複数個のデータファイルと、前記複数個のデータファイルの内の全部または一部のデータファイルがそれぞれ格納する所定のデータを再生する再生順序を前記データファイルごとにそれぞれ与えられる固有のデータファイルＩＤを利用して記述するプレイリストを格納するためのプレイリストファイルとを保持する記録媒体に保持されるプレイリストファイルに記録されたプレイリストに基づき、前記複数個のデータファイルの内の全部または一部のデータファイルがそれぞれ格納する所定のデータを、前記再生順序を利用して再生するデータ再生ステップをコンピュータに実行させるためのプログラムである。
【００２３】
第１７の本発明は、第１４の本発明のプログラムを担持した記録媒体であって、コンピュータにより処理可能な記録媒体である。
【００２４】
第１８の本発明は、第１５の本発明のプログラムを担持した記録媒体であって、コンピュータにより処理可能な記録媒体である。
【００２５】
第１９の本発明は、第１６の本発明のプログラムを担持した記録媒体であって、コンピュータにより処理可能な記録媒体である。
【発明を実施するための最良の形態】
【００２６】
以下に、本発明の実施の形態について、図面を参照しつつ説明を行う。
【００２７】
（実施の形態１）
はじめに、本発明の実施の形態１の記録再生システムのブロック図である図１を主として参照しながら、本実施の形態の記録再生システムの構成について説明する。
【００２８】
記録装置１０は、（１）書き込みファイル選択手段３１、情報抽出手段３２、プレイリストファイル作成手段３４、コンテンツ一覧情報ファイル作成手段３３を有する書込みファイル管理手段１１と、（２）ファイル群１３を記憶する内部記憶手段１２と、（３）データファイル群１３、コンテンツ一覧情報ファイル１６、プレイリストファイル１７を記憶するＣＤ−ＲＷ（Ｃｏｍｐａｃｔ  Ｄｉｓｋ  Ｒｅｗｒｉｔａｂｌｅ）メディア１５に記録を行うファイル記録手段１４とを備えている。
【００２９】
具体的には、書込みファイル管理手段１１は、ＣＰＵ（Ｃｅｎｔｒａｌ  Ｐｒｏｃｅｓｓｉｎｇ  Ｕｎｉｔ）などを有している。また、内部記憶手段１２は、ＨＤ（Ｈａｒｄ  Ｄｉｓｋ）などを有している。また、ファイル記録手段１４は、ＣＤ−ＲＷドライブなどを有している。
【００３０】
コンテンツ一覧情報ファイル１６、プレイリストファイル１７については、後に詳述する。
【００３１】
再生装置２０は、（１）再生指示手段（リモコン）２２が行う指示を入力して制御を行う制御手段２１と、（２）ＣＤ−ＲＷメディア１５から再生を行うファイル再生手段２３と、（３）映像・音声ファイル出力手段２４とを備えている。
【００３２】
具体的には、制御手段２１は、ＣＰＵなどを有している。また、ファイル再生手段２３は、ＣＤ−ＲＷドライブなどを有している。また、データファイル出力手段２４は、デコーダなどを有している。
【００３３】
ここで、コンテンツ一覧情報ファイル１６、プレイリストファイル１７について詳述する。
【００３４】
まず（Ａ）コンテンツ一覧情報ファイル１６について説明し、つぎに（Ｂ）プレイリストファイル１７について説明する。
【００３５】
（Ａ）コンテンツ一覧情報ファイル１６は、情報抽出手段３２によって複写的に抽出される情報の内、データファイル群１３が有するデータファイル（すなわち、オーディオファイル＃１、…、＃ｎ、静止画ファイル＃１、…、＃ｍ、ビデオファイル＃１、…、＃ｋ）そのものを規定する固有のパラメータ情報を格納している。
【００３６】
パラメータ情報とは、ＣＤ−ＲＷメディア１５におけるデータファイルの再生を実行するために必要な情報である。ここに、データファイルの再生を実行するために必要な情報とは、（１）音声ファイル（すなわち、オーディオファイル＃１、…、＃ｎ）に関しては、ＡＶＩ（Ａｕｄｉｏ  Ｖｉｄｅｏ  Ｉｎｔｅｒｌｅａｖｅ）ファイル形式やＷＭＡ（Ｗｉｎｄｏｗｓ（商標登録）  Ｍｅｄｉａ  Ａｕｄｉｏ）ファイル形式やＡＳＦ（Ａｄｖａｎｃｅｄ  Ｓｙｓｔｅｍｓ  Ｆｏｒｍａｔ）ファイル形式におけるヘッダ情報として格納されている、その音声ファイルを規定するサンプリング周波数情報、チャネル数情報、圧縮方式情報、演奏時間情報、データレート情報などであり、（２）静止画ファイル（すなわち、静止画ファイル＃１、…、＃ｍ）に関しては、ＪＰＥＧ（Ｊｏｉｎｔ  Ｐｉｃｔｕｒｅ  Ｅｘｐｅｒｔ  Ｇｒｏｕｐ）ファイル形式におけるヘッダ情報として格納されている、その静止画ファイルを規定する圧縮方式情報、画像サイズ情報などであり、（３）映像ファイル（すなわち、ビデオファイル＃１、…、＃ｋ）に関しては、ＡＶＩファイル形式やＷＭＶ（Ｗｉｎｄｏｗｓ（商標登録）  Ｍｅｄｉａ  Ｖｉｄｅｏ）ファイル形式やＡＳＦファイル形式におけるヘッダ情報として格納されている、その映像ファイルを規定するビデオフレームサイズ情報、フレームレート情報、データレート情報、圧縮方式情報、再生時間情報などである。
【００３７】
ここで、本発明の実施の形態１のコンテンツ一覧情報ファイル１６のデータ格納フォーマットの説明図である図２を参照しながら、コンテンツ一覧情報ファイル１６についてより具体的に説明する。
【００３８】
コンテンツ一覧情報ファイル１６は、ヘッダ部４０、オーディオファイル部４１、静止画ファイル部４２、ビデオファイル部４３から構成されている。
【００３９】
ヘッダ部４０は、データファイル群１３が有するオーディオファイル、静止画ファイル、ビデオファイルのそれぞれの個数がｎ個、ｍ個、ｋ個である旨を格納している。また、ヘッダ部４０は、ｎ個のオーディオファイル＃１、…、＃ｎについての情報から構成されるオーディオファイル部４１、ｍ個の静止画ファイル＃１、…、＃ｍについての情報から構成される静止画ファイル部４２、ｋ個のビデオファイル＃１、…、＃ｋについての情報から構成されるビデオファイル部４３のそれぞれの開始位置（すなわち、ファイル先頭からのオフセットのバイト数）がＮバイト、Ｍバイト、Ｋバイトである旨を格納している。
【００４０】
オーディオファイル部４１は、オーディオパラメータ情報格納部４４、オーディオファイル名格納部４５から構成されている。
【００４１】
オーディオパラメータ情報格納部４４は、オーディオファイル＃１、…、＃ｎのそれぞれから抽出されたパラメータ情報を順番に格納しており、オーディオファイル名格納部４５は、オーディオファイル＃１、…、＃ｎのそれぞれのファイル名を順番に格納している。
【００４２】
オーディオファイル＃１、…、＃ｎには、コンテンツ一覧情報ファイル１６にパラメータ情報が格納されているオーディオファイル、静止画ファイル、ビデオファイルを通じての通しの格納順番に応じて、コンテンツＩＤ＝１、…、ｎが割り当てられている。
【００４３】
静止画ファイル部４２は、静止画パラメータ情報格納部４６、静止画ファイル名格納部４７から構成されている。
【００４４】
静止画パラメータ情報格納部４６は、静止画ファイル＃１、…、＃ｍのそれぞれから抽出されたパラメータ情報を順番に格納しており、静止画ファイル名格納部４７は、静止画ファイル＃１、…、＃ｍのそれぞれのファイル名を順番に格納している。
【００４５】
静止画ファイル＃１、…、＃ｍには、前述された通しの格納順番に応じて、コンテンツＩＤ＝ｎ＋１、…、ｎ＋ｍが割り当てられている。
【００４６】
ビデオファイル部４３は、ビデオパラメータ情報格納部４８、ビデオファイル名格納部４９から構成されている。
【００４７】
ビデオパラメータ情報格納部４８は、ビデオファイル＃１、…、＃ｋのそれぞれから抽出されたパラメータ情報を順番に格納しており、ビデオファイル名格納部４９は、ビデオファイル＃１、…、＃ｋのそれぞれのファイル名を順番に格納している。
【００４８】
ビデオファイル＃１、…、＃ｋには、前述された通しの格納順番に応じて、コンテンツＩＤ＝ｎ＋ｍ＋１、…、ｎ＋ｍ＋ｋが割り当てられている。
【００４９】
（Ｂ）プレイリストファイル１７は、書き込みファイル選択手段３１によって選択されたデータファイル群１３が有するデータファイルの一部または全部に関するプレイリストを格納している。
【００５０】
プレイリストファイル１７は、ＧＵＩ（Ｇｒａｐｈｉｃａｌ  Ｕｓｅｒ  Ｉｎｔｅｒｆａｃｅ）入力によってユーザが指定したデータファイルの再生順序をコンテンツＩＤを利用して記述するリストである。もちろん、同一のデータファイルが、プレイリストファイル１７において複数回出現してもよい。
【００５１】
ここで、本発明の実施の形態１のプレイリストファイル１７のデータ格納フォーマットの説明図である図３を参照しながら、プレイリストファイル１７についてより具体的に説明する。
【００５２】
プレイリストファイル１７は、ヘッダ部５０、再生順序記述部５１から構成されている。
【００５３】
ヘッダ部５０は、プレイリストファイル１７がそれぞれ有するプレイリストファイル属性に関するプレイリストファイル属性情報として、プレイリストファイルに含まれるデータファイルの種類を示すプレイリスト種別情報を格納している。プレイリスト種別情報は、本実施の形態においては、オーディオ、ビデオ、静止画の何れかである。
【００５４】
再生順序記述部５１は、コンテンツファイル数と、選択されたデータファイルのコンテンツＩＤと、再生指定情報とを格納している。
【００５５】
コンテンツファイル数は、選択されたデータファイルの個数Ｍである。
【００５６】
選択されたデータファイルのコンテンツＩＤは、ユーザによって指定されたデータファイルの再生順序に応じて格納されている。
【００５７】
再生指定情報は、再生形態に関してオプショナルに指定される情報であって、（１）オーディオファイルやビデオファイルに関しては、再生開始位置／再生終了位置などを指定する（たとえば、再生が先頭から３０秒経過した時点に対応する位置から開始されるように指定する）ための情報であり、（３）静止画ファイルに関しては、表示が実行される時間などを指定するための情報である。個々のデータファイルの再生指定情報は、対応するデータファイルのコンテンツＩＤに附されて格納されている。
【００５８】
以上においては、本実施の形態の記録再生システムの構成について詳細に説明した。
【００５９】
つぎに、本実施の形態の記録再生システムの動作について説明する。
【００６０】
なお、本実施の形態の記録再生システムの動作について説明しながら、本発明の記録再生方法、記録方法、および再生方法の一実施の形態についても説明する。
【００６１】
[１]はじめに、データファイル群１３のデータファイル（すなわち、オーディオファイル＃１、…、＃ｎ、静止画ファイル＃１、…、＃ｍ、ビデオファイル＃１、…、＃ｋ）とプレイリストファイル１７とをＣＤ−ＲＷメディア１５に記録するための、記録装置１０の動作について説明する。
【００６２】
書き込みファイル選択手段３１は、「プレイリストファイル１７を作成し、データファイル群１３のデータファイルと作成されたプレイリストファイル１７とをＣＤ−ＲＷメディア１５に記録したい」旨のユーザが行った指示に従い、内部記憶手段１２が記憶しているデータファイル群１３のデータファイルの内、ＣＤ−ＲＷメディア１５に記録されるべきデータファイル群１３のデータファイルを選択する。
【００６３】
情報抽出手段３２は、書き込みファイル選択手段３１が選択したデータファイル群１３のデータファイルから格納されているデータファイルに関連する情報を複写的に抽出する。
【００６４】
コンテンツ一覧情報ファイル作成手段３３は、情報抽出手段３２が抽出したパラメータ情報を利用して、コンテンツ一覧情報ファイル１６を作成する。
【００６５】
前述されたように、コンテンツ一覧情報ファイル１６にパラメータ情報が格納されているデータファイルには、そのような全てのデータファイルを通じての通しの格納順番に応じて、コンテンツＩＤ＝１、…、ｎが割り当てられる。
【００６６】
プレイリストファイル作成手段３４は、情報抽出手段３２が抽出したパラメータ情報を利用し、ＧＵＩ入力によるユーザの指示に応じて、書き込みファイル選択手段３１が選択したデータファイル群１３のファイルに関するプレイリストファイル１７を作成する。
【００６７】
前述されたように、ユーザが指定したデータファイルの再生順序は、コンテンツＩＤを利用して記述される。
【００６８】
ファイル記録手段１４は、書き込みファイル選択手段３１が選択したデータファイル群１３のデータファイルをＣＤ−ＲＷメディア１５に記録するとともに、コンテンツ一覧情報ファイル作成手段３３が作成したコンテンツ一覧情報ファイル１６と、プレイリストファイル作成手段３４が作成したプレイリストファイル１７とをＣＤ−ＲＷメディア１５に記録する。
【００６９】
もちろん、このようにしてＣＤ−ＲＷメディア１５に作成されたコンテンツ一覧情報ファイル１６は、別のデータファイルのパラメータ情報が追記的に上書きされて更新されることがある。
【００７０】
また、このようにしてＣＤ−ＲＷメディア１５に作成されたプレイリストファイル１７は、再生順序がユーザの指示などに応じて書き換えられることがある。
【００７１】
[２]つぎに、プレイリストファイル１７を利用して、ＣＤ−ＲＷメディア１５に記録されているデータファイルの再生を実行するための、再生装置２０の動作について説明する。
【００７２】
再生指示手段２２は、「プレイリストファイル１７を利用して、ＣＤ−ＲＷメディア１５に記録されているファイルの再生を行いたい」旨のユーザが行った指示に従い、同様の旨の指示を制御手段２１に対して行う。
【００７３】
制御手段２１は、再生指示手段２２が行った指示に従い、同様の指示をファイル再生手段２３に対して行う。
【００７４】
ファイル再生手段２３は、制御手段２１が行った指示に従い、ＣＤ−ＲＷメディア１５に記録されているコンテンツ一覧情報ファイル１６の内容およびプレイリストファイル１７の内容を読み出す。
【００７５】
プレイリストファイル１７における、ユーザが指定したデータファイルの再生順序がテキストではなくコンテンツＩＤを利用して記述されているため、このような動作は、ＨＴＭＬ形式のプレイリストファイルを解釈できないＣＤプレイヤなどのデータ処理レベルでも実現可能である。
【００７６】
制御手段２１は、読み出されたコンテンツ一覧情報ファイル１６の内容およびプレイリストファイル１７の内容を解釈し、プレイリストファイル１７を利用してＣＤ−ＲＷメディア１５に記録されているファイルの再生を実行する旨の指示をファイル再生手段２３に対して行う。
【００７７】
ファイル再生手段２３は、制御手段２１が行った指示に従い、ＣＤ−ＲＷメディア１５に記録されているデータファイルの内容を読み出す。
【００７８】
映像・音声ファイル出力手段２４は、読み出されたデータファイルの内容を、ファイル形式から出力形式へのフォーマット変換を利用して出力する。
【００７９】
もちろん、このようなデータファイルの内容の読み出し、および読み出されたデータファイルの内容の出力は、プレイリストファイル１７に記述されているデータファイルの再生順序に応じて行われていく。
【００８０】
以上においては、本実施の形態の記録再生システムの動作について詳細に説明した。
【００８１】
つぎに、本実施の形態の記録再生システムの奏する効果について説明する。
【００８２】
（ａ）本実施の形態の記録再生システムは、データファイルの記録された記録媒体が作成される際にユーザによって指定された再生順序で、その作成された記録媒体に記録されたデータファイルを再生する。
【００８３】
このため、本実施の形態の記録再生システムは、記録媒体の作成者の意図どおりの再生順序でデータファイルを再生することができる。
【００８４】
（ｂ）本実施の形態の記録再生システムは、ファイル名ではなくコンテンツＩＤを利用して、プレイリストファイル１７におけるデータ管理を行う。もちろん、コンテンツＩＤとファイル名との対応付けは、コンテンツ一覧情報ファイル１６を利用して一意的に行われる。
【００８５】
コンテンツＩＤは、たとえば３２ビットのＩＤを使用すればよく、ファイル名のデータサイズに比べて十分に小さい。
【００８６】
このため、本実施の形態の記録再生システムは、プレイリストファイル１７のサイズを小さく抑え、ＣＤ−ＲＷメディア１５の容量を本来の映像ファイルや音声ファイルの記録に有効に活用することができる。
【００８７】
（ｃ）また、本実施の形態の記録再生システムは、オーディオ、静止画、ビデオなどデータ形式ごとにファイルを分類し、プレイリストファイル１７のヘッダ部５０に各分類ごとのプレイリスト種別情報を格納する。
【００８８】
たとえば、データファイル出力手段２４がオーディオファイルのみしか再生できない場合には、プレイリストファイル１７が読み出される際、ヘッダ部５０の情報に基づいて、プレイリスト種別情報がオーディオであるプレイリストファイルのみが読み出され、プレイリスト種別情報が静止画やビデオであるプレイリストファイルは読み出されない。
【００８９】
このため、本実施の形態の記録再生システムは、プレイリストファイルをフィルタリングし、利用可能なプレイリストファイルのみをユーザに選択肢として速やかに提示することができ、ユーザフレンドリーな製品を実現することができる。
【００９０】
以上においては、実施の形態１について詳細に説明を行った。
【００９１】
（１）なお、本発明のプレイリストファイルは、上述した実施の形態においては、プレイリストファイル１７であった。
【００９２】
しかし、これに限らず、要するに、本発明のプレイリストファイルは、複数個のデータファイルの内の全部または一部のデータファイルがそれぞれ格納する所定のデータを再生する再生順序をデータファイルごとに与えられる固有のデータファイルＩＤを利用して記述するプレイリストを格納するための、記録媒体に保持されるファイルであればよい。
【００９３】
（２）また、本発明のパラメータ情報ファイルは、上述した実施の形態においては、コンテンツ一覧情報ファイル１６であった。
【００９４】
しかし、これに限らず、要するに、本発明のパラメータ情報ファイルは、複数個のデータファイルがそれぞれ格納するパラメータ情報がすべて記録される、パラメータ情報を格納するための、記録媒体に保持されるファイルであればよい。
【００９５】
（３）また、本発明のデータファイルＩＤは、上述した実施の形態においては、複数個のデータファイルに、パラメータ情報ファイルがパラメータ情報を格納する順番を利用してそれぞれ与えられるコンテンツＩＤであった。
【００９６】
しかし、これに限らず、要するに、本発明のデータファイルＩＤは、データファイルごとにそれぞれ与えられる固有のＩＤであればよい。
【００９７】
（４）また、本発明のプレイリストファイル属性情報は、上述した実施の形態においては、プレイリスト種別情報であった。
【００９８】
しかし、これに限らず、要するに、本発明のプレイリストファイル属性情報は、複数個のプレイリストファイルがそれぞれ有するプレイリストファイル属性に関する情報であればよい。
【００９９】
（５）また、本発明の記録媒体は、上述した実施の形態においては、ＣＤ−ＲＷメディア１５であった。
【０１００】
しかし、これに限らず、本発明の記録媒体は、ＣＤ−Ｒ（Ｃｏｍｐａｃｔ  Ｄｉｓｋ−Ｒｅｃｏｒｄａｂｌｅ）メディアやＤＶＤ−Ｒ（Ｄｉｇｉｔａｌ  Ｖｅｒｓａｔｉｌｅ  Ｄｉｓｋ−Ｒｅｃｏｒｄａｂｌｅ）メディアなどのリムーバブルメディアであってもよいし、記録装置や再生装置に内蔵されるＨＤＤ（Ｈａｒｄ  Ｄｉｓｋ  Ｄｒｉｖｅ）などの内蔵記憶装置であってもよい。
【０１０１】
要するに、本発明の記録媒体は、所定のデータを格納する複数個のデータファイルと、複数個のデータファイルの内の全部または一部のデータファイルがそれぞれ格納する所定のデータを再生する再生順序をデータファイルごとにそれぞれ与えられる固有のデータファイルＩＤを利用して記述するプレイリストを格納するためのプレイリストファイルとを保持する手段であればよい。
【０１０２】
（６）また、本発明のプレイリスト記録手段は、上述した実施の形態においては、データファイル群１３のデータファイルから抽出されたパラメータ情報がコンテンツ一覧情報ファイル１６に格納される順番を利用して与えられたコンテンツＩＤを利用して、データファイルが格納するデータを再生する再生順序をプレイリストファイル１７に記録するファイル記録手段１４、情報抽出手段３２、プレイリスト作成手段３４を含む手段であった。
【０１０３】
しかし、これに限らず、要するに、本発明のプレイリスト記録手段は、複数個のデータファイルの内の全部または一部のデータファイルがそれぞれ格納する所定のデータを再生する再生順序をデータファイルごとにそれぞれ与えられる固有のデータファイルＩＤを利用して記述するプレイリストを、プレイリストを格納するための、記録媒体に保持されるプレイリストファイルに記録する手段であればよい。
【０１０４】
（７）また、本発明のデータ再生手段は、上述した実施の形態においては、ファイル再生手段２３を含む手段であった。
【０１０５】
しかし、これに限らず、要するに、本発明のデータ再生手段は、複数個のデータファイルの内の全部または一部のデータファイルがそれぞれ格納する所定のデータを、記録されたプレイリストに基づき再生順序を利用して再生する手段であればよい。
【０１０６】
（８）また、本発明のパラメータ情報記録手段は、上述した実施の形態においては、データファイル群１３のデータファイルから抽出されたパラメータ情報を、コンテンツ一覧情報ファイル１６に記録するファイル記録手段１４、情報抽出手段３２、コンテンツ一覧情報ファイル作成手段３３を含む手段であった。
【０１０７】
しかし、これに限らず、本発明のパラメータ情報記録手段は、たとえば、データファイル群１３のデータファイルが格納するパラメータ情報は、インターネット上のＦＴＰ（Ｆｉｌｅ  Ｔｒａｎｓｆｅｒ  Ｐｒｏｔｏｃｏｌ）サーバなどの所定の場所にも保管されており、所定の場所にも保管されているパラメータ情報を入手し、その入手されたパラメータ情報を、コンテンツ一覧情報ファイル１６に記録する手段であってもよい。
【０１０８】
要するに、本発明のパラメータ情報記録手段は、複数個のデータファイルがそれぞれ格納するパラメータ情報を、パラメータ情報を格納するための、記録媒体に保持されるパラメータ情報ファイルにすべて記録する手段であればよい。
【０１０９】
（９）また、本発明の記録媒体は、上述した実施の形態においては、一つのプレイリストファイル１７を保持していた。
【０１１０】
しかし、これに限らず、本発明の記録媒体は、複数個のプレイリストファイルを保持していてもよい。
【０１１１】
もちろん、複数個のプレイリストファイルが保持されている場合には、何れのプレイリストファイルに基づいて所定のデータの再生が行われるかが、ユーザの指示などによって指定されることになる。
【０１１２】
（１０）また、本発明のプレイリストファイルは、上述した実施の形態においては、ＧＵＩ入力によるユーザの指示に応じて作成された。
【０１１３】
しかし、これに限らず、本発明のプレイリストファイルは、たとえば、ファイルのタイトルをアルファベット順に再生するための所定のアルゴリズムにしたがって、自動的に作成されてもよい。
【０１１４】
（１１）また、本発明のプレイリストは、再生順序を、グループ化を利用して記述してもよい。
【０１１５】
たとえば、本発明のプレイリストは、再生順序指定を行うための複数の再生順序指定をグループ化するためのユーザ指示があった場合には指定された複数の再生順序指定を集約して格納し、前述のようなユーザ指示がない場合には一つの再生順序指定のみを格納してもよい
より具体的に述べると、本発明の一実施の形態のプレイリストファイルのデータ格納フォーマットの説明図である図４に示されているように、本発明のプレイリストは、ヘッダ部５２、再生順序記述部５３から構成されていてもよい。
【０１１６】
ヘッダ部５２は、プレイリスト種別情報および再生順序記述グループ数を格納する。
【０１１７】
プレイリスト種別情報は、前述の実施の形態１で説明されたプレイリスト種別情報と同様な情報である。再生順序記述グループ数は、再生順序記述部５３に格納されている再生順序記述グループの個数Ｎである。
【０１１８】
再生順序記述部５３は、第１〜第Ｎの再生順序記述グループを格納する。
【０１１９】
第１〜第Ｎの再生順序記述グループは、グループ種別情報、コンテンツファイル数、再生されるべきデータファイルのコンテンツＩＤ、および同データファイルの再生指定情報をそれぞれ格納する。
【０１２０】
グループ種別情報は、その再生順序記述グループに含まれるデータファイルの種類（オーディオ／ビデオ／静止画の何れか）を示す情報である。コンテンツファイル数は、その再生順序記述グループにおいて再生順序が指定されたデータファイルの個数である。再生されるべきデータファイルのコンテンツＩＤは、再生順序に応じて格納されている。再生指定情報は、再生されるデータファイルがオーディオファイルやビデオファイルである場合にはファイルの中の再生開始位置／再生終了位置などを指定するための情報であり、再生されるデータファイルが静止画ファイルである場合には静止画の表示時間などを指定するための情報である。
【０１２１】
このようなグループ化を利用して、たとえば、同一のアーティストの音楽ファイルをグループ化し、それぞれのグループ内で音楽ファイルの再生順序を指定することにより、一つのプレイリストファイルに前述の同一のアーティストの音楽ファイルの再生順序に関する情報を集約しておくことができる。
【０１２２】
より具体的に述べると、本発明の一実施の形態のプレイリストファイルのグループ化の説明図（その１）である図５（Ａ）に示されているように、同一のアーティストの音楽ファイル曲１−１、曲１−２、…、曲１−１０、曲２−１、曲２−２、…、曲２−１０を、音楽ファイル曲１−１、…、曲１−１０から構成されるアルバム１と、音楽ファイル曲２−１、…、曲２−１０から構成されるアルバム２とにグループ化する。そして、本発明の一実施の形態のプレイリストファイルのグループ化の説明図（その２）である図５（Ｂ）に示されているように、アルバム１内で音楽ファイル曲１−１、…、曲１−１０の再生順序をこの順で指定し、アルバム２内で音楽ファイル曲２−１、…、曲２−１０の再生順序をこの順に指定することにより、一つのアーティスト１用プレイリストファイルに音楽ファイル曲１−１、…、曲２−１０の再生順序に関する情報を集約する。
【０１２３】
なお、アーティスト１は、プレイリストファイルに付けられたユーザの使い勝手をよくするためのプレイリストファイルの名前の具体例である。また、アルバム１、アルバム２は、再生順序指定を行うためのグループに付けられたユーザの使い勝手をよくするためのグループの名前の具体例である。
【０１２４】
もちろん、本発明の一実施の形態のプレイリストファイルのグループ化の説明図（その３）である図５（Ｃ）に示されているように、音楽ファイル曲１−１、…、曲１−１０から構成されるアーティスト１−アルバム１内で音楽ファイル曲１−１、…、曲１−１０の再生順序をこの順で指定するためのアーティスト１−アルバム１用プレイリストファイルと、音楽ファイル曲２−１、…、曲２−１０から構成されるアーティスト１−アルバム２内で音楽ファイル曲２−１、…、曲２−１０の再生順序をこの順で指定するためのアーティスト１−アルバム２用プレイリストファイルとの、二つのプレイリストファイルが利用されてもよい。
【０１２５】
ただし、ユーザが再生順序の切り替えを希望した場合、前者（図５（Ｂ）参照））においては、一つのプレイリストの中のグループを変更するだけで、速やかに異なる再生順序指定でデータファイルの再生を行うことが可能であるが、後者（図５（Ｃ）参照））においては、一つのプレイリストファイルに一つの再生順序指定しか存在しないために、異なるプレイリストファイルを読み出してメモリに展開するまでに多少の応答待ち時間が必要になることがある。
【０１２６】
（１２）また、本発明のプレイリストに基づく再生は、どのデータファイルから開始されてもよい。
【０１２７】
より具体的に述べると、本発明のプレイリストは、たとえば、前述のようなグループ化を利用して再生順序を記述している場合には、どのグループのどのファイルから再生を開始するかを指定するための情報を格納していてもよい。
【０１２８】
もちろん、グループの変更は可能であるがグループに属するデータファイルの内で再生が開始されるデータファイルの指定までは不可能なローエンド機種においても、再生が開始されるデータファイルが一つずつずらされたグループを作成しておき、再生が開始されるデータファイルの指定をグループの切替操作を利用して等価的に実現することは可能である。
【０１２９】
（１３）また、本発明のプレイリストに基づく再生は、二つ以上のデータファイルを同時に利用して行われてもよい。
【０１３０】
たとえば、一つのプレイリストファイルに複数の再生順序を格納し、それらの再生順序を同時並行して再生するように指示する情報を前述のプレイリスト種別情報に格納しておく。そして、再生装置は、そのプレイリスト種別情報を読み出し、同時並行して再生する指示が格納されていることを検出したら、プレイリストファイルに格納されている複数の再生順序を同時並行して実行する。
【０１３１】
より具体的に述べると、一つのプレイリストファイルに静止画ファイルの再生順序と音声ファイルや映像ファイルの再生順序とを格納しておき、静止画を指定された順序で再生しながら、音声ファイルを指定された順序で再生する。
【０１３２】
もちろん、再生装置が同時並行再生機能を有しない場合には単一の再生順序のみを解釈して再生動作を行うような制御命令をプレイリストファイルに格納しておけばよく、同時再生機能を有する再生装置用のプレイリストと同時再生機能を有しない再生装置用のプレイリストとを別々に分けて用意する必要はない。
【０１３３】
また、プレイリストファイルに複数の再生順序に加えて、その中に再生順序が指定されている静止画ファイルのファイルサイズに関する情報を格納するようにし、再生時に、再生順序の指定されている静止画ファイルが、すべて、所定のファイルサイズ以下に収まっているか判断し、再生動作を切り替えるようにしてもよい。所定のファイルサイズは、再生機器の静止画ファイルの処理能力に応じて、再生機器があらかじめ決定し、再生動作の切替は、すべての静止画ファイルが所定のファイルサイズ以下に収まっている場合にのみ、同時並行再生を行い、再生順序を指定された静止画ファイルの中に所定のファイルサイズを超えるものが存在する場合には、単一の再生順序のみを解釈して再生動作を行うようにしてもよい。
【０１３４】
一般に、静止画ファイルの再生処理に必要な処理時間は、ファイルの読み出しとデコード処理が必要であり、これらはファイルサイズの大きさに比例して長くなる。したがって、再生順序を指定された静止画ファイルの中にファイルサイズの大きいものが存在する場合には、その再生処理に時間がかかってしまい、音声ファイルや映像ファイルの再生との同期がとれなくなるという問題が発生する可能性がある。
【０１３５】
前述したようにプレイリストファイルの中に静止画ファイルのサイズに関する情報を格納しておくならば、静止画ファイルの再生処理能力に応じて、再生時の動作を制御することができるので、前述した音声ファイルや映像ファイルの再生処理との同期がとれなくなるという問題の発生を抑制することができる。
【０１３６】
つまり、再生ファイルのファイルサイズが処理能力に収まっている場合にのみ、再生機器は同時並行再生を行うようにすることができ、処理能力に応じた同時並行再生機能を有する低コストな再生機器を提供することができる。
【０１３７】
このようにすることにより、ＨＴＭＬ形式のプレイリストファイルを解釈できない再生装置のデータ処理レベルにおいても、静止画と音声の同時再生による高度な再生機能（たとえば、音声ナレーションの付加されたスライドによるプレゼンテーションを行う機能）を実現することができる。また、同時再生機能を有しない再生装置でも、静止画と音声の同時再生を前提として作成されたプレイリストに対して、たとえば静止画のみを指定された再生順序で再生することはできるから、記録媒体の作成者の意図に従った順序で静止画の情報を鑑賞することができる。
【０１３８】
（１４）また、本発明のパラメータ情報ファイルは、複数個のプレイリストファイルがそれぞれ有するプレイリストファイル属性に関する情報をさらに格納していてもよい。
【０１３９】
たとえば、本発明のパラメータ情報ファイルは、本発明の一実施の形態のコンテンツ一覧情報ファイルのデータ格納フォーマットの説明図である図７に示されているように、プレイリストファイル＃１、…、＃ｐの種別情報を順番に格納するプレイリストファイル情報格納部６０を有していてもよい
より具体的に述べると、本発明のパラメータ情報ファイルは、本発明の一実施の形態の記録再生システムのブロック図である図６に示されているように、コンテンツ一覧情報ファイル作成手段３３′がプレイリスト作成手段３４′から入力したプレイリスト種別情報も併せて格納するコンテンツ一覧情報ファイル１６′であってもよい。プレイリストファイル１７ａ、１７ｂは、コンテンツ一覧情報ファイル１６′が前述のプレイリスト種別情報を格納する順番を利用して与えられた固有のプレイリストファイルＩＤが与えられ、そのプレイリストファイルＩＤを利用して管理される。
【０１４０】
このようなプレイリストファイル１７ａ、１７ｂの管理を利用することにより、再生装置の制御手段２１′は、コンテンツ一覧情報ファイル１６′を読み出すだけで、プレイリストファイル１７ａ、１７ｂを読み出すことなく再生可能なプレイリストファイルを速やかに特定できる。
【０１４１】
（１５）また、本発明のデータファイルは、上述した実施の形態においては、内部記憶手段１２に記憶されているデータファイル群１３のデータファイルであった。
【０１４２】
しかし、これに限らず、本発明のデータファイルは、たとえば、ＣＤ−ＲＷメディア１５に記録されているデータファイル群のデータファイルであってもよい。
【０１４３】
従来の記録装置によってデータファイルが記録されたＣＤ−ＲＷメディアに対しても、本発明の記録装置によって本発明のコンテンツ一覧情報ファイルを追記でき、このようにしてコンテンツ一覧情報ファイルが追記されたＣＤ―ＲＷメディアは、本発明の再生装置によってコンテンツ一覧情報ファイルを利用して再生できる。したがって、これまでに作成された記録媒体の資産も、有効活用することができる。
【０１４４】
尚、本発明のプログラムは、上述した本発明の記録再生システム、記録装置、再生装置の全部又は一部の手段（又は、装置、素子等）の機能をコンピュータにより実行させるためのプログラムであって、コンピュータと協働して動作するプログラムである。
【０１４５】
又、本発明のプログラムは、上述した本発明の記録再生方法、記録方法、再生方法の全部又は一部のステップ（又は、工程、動作、作用等）の動作をコンピュータにより実行させるためのプログラムであって、コンピュータと協働して動作するプログラムである。
【０１４６】
又、本発明の記録媒体は、上述した本発明の記録再生システム、記録装置、再生装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０１４７】
又、本発明の記録媒体は、上述した本発明の記録再生方法、記録方法、再生方法の全部又は一部のステップ（又は、工程、動作、作用等）の全部又は一部の動作をコンピュータにより実行させるためのプログラムを担持した記録媒体であり、コンピュータにより読み取り可能且つ、読み取られた前記プログラムが前記コンピュータと協動して前記動作を実行する記録媒体である。
【０１４８】
又、本発明の記録媒体は、上述した本発明の記録再生システム、記録装置、再生装置、記録再生方法、記録方法、再生方法の全部又は一部の手段（又は、装置、素子等）やステップ（又は、工程、動作、作用等）で、コンピュータと協働して利用されるデータ構造を担持した記録媒体であり、コンピュータにより読み取り可能且つ、読み取られた前記データ構造が前記コンピュータと協動して利用される記録媒体である。
【０１４９】
尚、本発明の上記「一部の手段（又は、装置、素子等）」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
【０１５０】
又、本発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
【０１５１】
又、本発明のプログラムの一利用形態は、コンピュータにより読み取り可能な記録媒体に記録され、コンピュータと協働して動作する態様であっても良い。
【０１５２】
又、本発明のプログラムの一利用形態は、伝送媒体中を伝送し、コンピュータにより読みとられ、コンピュータと協働して動作する態様であっても良い。
【０１５３】
又、本発明のデータ構造としては、データベース、データフォーマット、データテーブル、データリスト、データの種類などを含む。
【０１５４】
又、記録媒体としては、ＲＯＭ等が含まれ、伝送媒体としては、インターネット等の伝送媒体、光・電波・音波等が含まれる。
【０１５５】
又、上述した本発明のコンピュータは、ＣＰＵ等の純然たるハードウェアに限らず、ファームウェアや、ＯＳ、更に周辺機器を含むものであっても良い。
【０１５６】
尚、以上説明した様に、本発明の構成は、ソフトウェア的に実現しても良いし、ハードウェア的に実現しても良い。
【産業上の利用可能性】
【０１５７】
以上述べたところから明らかなように、本発明は、ＨＴＭＬ形式のプレイリストファイルを解釈できないＣＤプレイヤなどのデータ処理レベルにおいても、プレイリスト再生を行うことができるという長所を有する。
【図面の簡単な説明】
【０１５８】
【図１】本発明の実施の形態１の記録再生システムのブロック図である。
【図２】本発明の実施の形態１のコンテンツ一覧情報ファイル１６のデータ格納フォーマットの説明図である。
【図３】本発明の実施の形態１のプレイリストファイル１７のデータ格納フォーマットの説明図である。
【図４】本発明の一実施の形態のプレイリストファイルのデータ格納フォーマットの説明図である。
【図５】（Ａ）本発明の一実施の形態のプレイリストファイルのグループ化の説明図（その１）である。（Ｂ）本発明の一実施の形態のプレイリストファイルのグループ化の説明図（その２）である。（Ｃ）本発明の一実施の形態のプレイリストファイルのグループ化の説明図（その３）である。
【図６】本発明の一実施の形態のコンテンツ一覧情報ファイルのデータ格納フォーマットの説明図である。
【図７】本発明の一実施の形態の記録再生システムのブロック図である。
【符号の説明】
【０１５９】
１０  記録装置
１１  書込みファイル管理手段
１２  内部記憶手段
１３  データファイル群
１４  ファイル記録手段
１５  ＣＤ−ＲＷメディア
１６  コンテンツ一覧情報ファイル
１７  プレイリストファイル
２０  再生装置
２１  制御手段
２２  再生指示手段（リモコン）
２３  ファイル再生手段
２４  映像・音声ファイル出力手段
３１  書き込みファイル選択手段
３２  情報抽出手段
３３  コンテンツ一覧情報ファイル作成手段
３４  プレイリストファイル作成手段
40    ヘッダ部
41    オーディオファイル部
42    静止画ファイル部
43    ビデオファイル部
44    オーディオパラメータ情報格納部
45    オーディオファイル名格納部
46    静止画パラメータ情報格納部
47    静止画ファイル名格納部
48    ビデオパラメータ情報格納部
49    ビデオファイル名格納部
50    ヘッダ部
５１  再生順序記述部
５２  ヘッダ部
５３  再生順序記述部
６０  プレイリストファイル情報格納部
【図１】
2006510162.tif 000003
【図２】
2006510162.tif 000004
【図３】
2006510162.tif 000005
【図４】
2006510162.tif 000006
【図５】
2006510162.tif 000007
【図６】
2006510162.tif 000008
【図７】
2006510162.tif 000009
【手続補正書】
【提出日】平成17年1月3日(2005.1.3)
【手続補正１】
【補正対象書類名】特許請求の範囲
【補正対象項目名】全文
【補正方法】変更
【補正の内容】
【特許請求の範囲】
【請求項１】
所定のデータおよび前記所定のデータを再生するために使用されるパラメータ情報を格納するための複数個のデータファイルを含有する記録媒体とともに使用する記録再生システムであって、
前記複数個のデータファイルの少なくとも一部に格納された前記所定のデータは、前記記録媒体中に記録されたプレイリストを格納するために使用されるプレイリストファイル中に前記データファイルの各々に与えられた固有のデータファイルＩＤを利用して再生される再生順序を記述するために使用される前記プレイリストを記録するように動作可能なプレイリスト記録デバイスと、
前記記録されたプレイリストに基づき前記再生順序を利用して前記複数個のデータファイルの少なくとも一部に格納された前記所定のデータを再生するように動作可能なデータ再生デバイスと、
前記記録媒体中に記録された前記パラメータ情報を格納するために使用されるパラメータ情報ファイル中に前記複数個のデータファイル中に格納された前記パラメータ情報を記録するように動作可能なパラメータ情報記録デバイスと
を備え、
前記パラメータ情報ファイルが前記パラメータ情報を格納する順序を利用して前記複数個のデータファイルの各々に前記固有のデータファイルＩＤが与えられ、
前記データファイルが前記与えられた固有のデータファイルＩＤを利用して管理される記録再生システム。
【請求項２】
前記記録媒体が複数個のプレイリストファイルを含有し、
前記複数個のプレイリストファイルの各々がプレイリストファイル属性を有し、
前記パラメータ情報ファイルは、前記複数個のプレイリストファイルの各々が有する前記プレイリストファイル属性のプレイリストファイル属性情報をさらに含有する請求項１に記載の記録再生システム。
【請求項３】
前記パラメータ情報ファイルが前記プレイリストファイル属性情報を格納する順序を利用して前記複数個のプレイリストファイルに前記固有のプレイリストファイルＩＤが与えられ、
前記プレイリストファイルは、前記与えられた固有のプレイリストファイルＩＤを利用して管理される請求項２に記載の記録再生システム。
【請求項４】
前記プレイリストがグルーピングを利用して前記再生順序を記述する請求項１に記載の記録再生システム。
【請求項５】
前記プレイリストが書き換え可能であるように前記再生順序を記述する請求項１に記載の記録再生システム。
【請求項６】
複数個のデータファイルの少なくとも一部に格納された所定のデータが前記データファイルの各々に与えられた固有のデータファイルＩＤを利用して再生される再生順序を記述するための前記プレイリストを格納するために使用されるプレイリストファイル中にプレイリストを記録するように動作可能なプレイリスト記録デバイスを備え、前記プレイリストファイルが前記所定のデータを格納するために使用される前記複数個のデータファイルを含有する記録媒体中に格納され、
前記記録されたプレイリストに基づき前記再生順序を利用して前記複数個のデータファイルの少なくとも一部に格納された前記所定のデータが再生され、
パラメータ情報ファイルが前記パラメータ情報を格納する順序を利用して前記複数個のデータファイルの各々に前記固有のデータファイルＩＤが与えられ、
前記データファイルが前記与えられた固有のデータファイルＩＤを利用して管理される記録装置。
【請求項７】
所定のデータを格納するために使用される複数個のデータファイルおよび前記複数個のデータファイルの少なくとも一部に格納された前記所定のデータが前記データファイルの各々に与えられた固有のデータファイルＩＤを利用して再生される再生順序を記述するためのプレイリストを格納するために使用されるプレイリストファイルを含有する記録媒体中に含有されたプレイリストファイル中に記録されたプレイリストに基づき再生順序を利用して複数個のデータファイルの少なくとも一部に格納された所定のデータを再生するように動作可能なデータ再生デバイスを備え、
パラメータ情報ファイルが前記パラメータ情報を格納する順序を利用して前記複数個のデータファイルの各々に前記固有のデータファイルＩＤが与えられ、
前記データファイルが前記与えられた固有のデータファイルＩＤを利用して管理される再生装置。
【請求項８】
所定のデータを格納するために使用される複数個のデータファイルおよび前記複数個のデータファイルの少なくとも一部に格納された前記所定のデータが前記データファイルの各々に与えられた固有のデータファイルＩＤを利用して再生される再生順序を記述するためのプレイリストを格納するために使用されるプレイリストファイルを備え、
前記プレイリストが前記プレイリストファイル中に記録され、
前記記録されたプレイリストに基づき前記再生順序を利用して前記複数個のデータファイルの少なくとも一部に格納された前記所定のデータが再生され、
パラメータ情報ファイルが前記パラメータ情報を格納する順序を利用して前記複数個のデータファイルの各々に前記固有のデータファイルＩＤが与えられ、
前記データファイルが前記与えられた固有のデータファイルＩＤを利用して管理される記録媒体。
【請求項９】
所定のデータを格納するために使用される複数個のデータファイルおよび前記複数個のデータファイルの少なくとも一部に格納された前記所定のデータが前記データファイルの各々に与えられた固有のデータファイルＩＤを利用して再生される再生順序を記述するための前記プレイリストを格納するために使用されるプレイリストファイルを含有する記録媒体中に記録された前記プレイリストファイル中にプレイリストを記録するステップと、
前記記録されたプレイリストに基づき前記再生順序を利用して前記複数個のデータファイルの少なくとも一部に格納された前記所定のデータを再生するステップと
を備え、
パラメータ情報ファイルが前記パラメータ情報を格納する順序を利用して前記複数個のデータファイルの各々に前記固有のデータファイルＩＤが与えられ、
前記データファイルが前記与えられた固有のデータファイルＩＤを利用して管理される記録再生方法。
【請求項１０】
複数個のデータファイルの少なくとも一部に格納された所定のデータは、前記所定のデータを格納するために使用される前記複数個のデータファイルを含有する記録媒体中に記録された前記データファイルの各々に与えられた固有のデータファイルＩＤを利用して再生される再生順序を記述するための前記プレイリストを記録するために使用されるプレイリストファイル中にプレイリストを記録するステップを備え、
前記記録されたプレイリストに基づき前記再生順序を利用して前記複数個のデータファイルの少なくとも一部に格納された前記所定のデータが再生され、
パラメータ情報ファイルが前記パラメータ情報を格納する順序を利用して前記複数個のデータファイルの各々に前記固有のデータファイルＩＤが与えられ、
前記データファイルが前記与えられた固有のデータファイルＩＤを利用して管理される記録方法。
【請求項１１】
所定のデータを格納するために使用される複数個のデータファイルおよび前記複数個のデータファイルの少なくとも一部に格納された前記所定のデータが前記データファイルの各々に与えられた固有のデータファイルＩＤを利用して再生される再生順序を記述するためのプレイリストを格納するために使用されるプレイリストファイルを含有する記録媒体中に記録されたプレイリストファイル中に記録されたプレイリストに基づき再生順序を利用して複数個のデータファイルの少なくとも一部に格納された所定のデータを再生するステップを備え、
パラメータ情報ファイルが前記パラメータ情報を格納する順序を利用して前記複数個のデータファイルの各々に前記固有のデータファイルＩＤが与えられ、
前記データファイルが前記与えられた固有のデータファイルＩＤを利用して管理される再生方法。
【請求項１２】
請求項９に記載の記録再生方法をコンピュータに実行させるためのプログラム。
【請求項１３】
請求項１０に記載の記録方法をコンピュータに実行させるためのプログラム。
【請求項１４】
請求項１１に記載の再生方法をコンピュータに実行させるためのプログラム。
【請求項１５】
請求項１２に記載のプログラムを含有するコンピュータ可読媒体。
【請求項１６】
請求項１３に記載のプログラムを含有するコンピュータ可読媒体。
【請求項１７】
請求項１４に記載のプログラムを含有するコンピュータ可読媒体。
【国際調査報告】
2006510162.tif 000010
2006510162.tif 000011
2006510162.tif 000012